(57)【特許請求の範囲】
【請求項１】
第一及び第二手動制御部材を具備する制御手段と、表面画面とを備えるシステムであって、前記制御手段は、前記第一手動制御部材の動作に応答して既定の連なった表示項目をスクロールし、スクロールステップに応じる毎に前記表示画面上の前記連なった表示項目から次の表示項目を視覚的に示し、既定の複数の異なる、連なった表示項目のうち前記第一手動制御部材の動作に応答してスクロールされる前記連なった表示項目を使用者による前記第二手動制御部材の動作に応答して選択するシステムにおいて、当該システムは前記第一及び第二手動制御部材が設けられるハンドヘルド制御装置を含み、前記制御手段が、スクロールされる前記連なった表示項目を選択するための前記第二手動制御部材による表示項目スクロール可能操作に対応するスクロール可能モードから前記第二手動制御部材による前記選択をしない表示項目スクロール不可能操作に対応するスクロール不可能モードへ及びこの逆にスイッチさせ、前記第二手動制御部材の表示項目スクロール不可能操作により、異なるスクロールを不可能にさせることを特徴とするシステムであって、
前記既定の複数の異なる、連なった表示項目が、個別の表示領域に表示され、前記スクロール可能モードは、前記第二手動制御部材による表示項目スクロール可能操作をすることで、該操作によって選択された表示領域のみがスクロール可能な状態であり、
前記スクロール不可能モードは、前記第二手動制御部材による表示項目スクロール不可能操作をして前記選択を解除する操作を行うと、前記表示領域におけるスクロールができなくなる状態である、システム。
【請求項２】
前記第一手動制御部材が回転盤を有し、該回転盤の回転に応答してスクロールが起こる請求項１に記載のシステム。
【請求項３】
前記第二手動制御部材のそれぞれのボタンが前記複数の異なる、連なった表示項目にそれぞれ関連付けられ、当該連なった表示項目は、関連する前記連なった表示項目に対応するボタンの動作に応答して選択される請求項１又は２に記載のシステム。
【請求項４】
前記それぞれのボタンをちょうど４個含む請求項３に記載のシステム。
【請求項５】
前記第二手動制御部材が第一及び第二ボタンを含み、第一の連なった表示項目が前記第一ボタンの動作に応答して選択され、該第一の連なった表示項目における各々の表示項目はそれぞれ第二の連なった表示項目に対応し、前記スクロールステップにおいて最後に示されるものとして、前記第二の連なった表示項目が関連付けられる前記第一の連なった表示項目を視覚的に示した後、該第二の連なった表示項目のそれぞれが、該第二ボタンの動作に応答して選択される請求項１乃至４のいずれか一項に記載のシステム。
【請求項６】
前記表示画面上の個別のフィールドが前記複数の連なった表示項目に各々関連付けられ、次の表示項目が当該連なった表示項目に対応する前記フィールドにおいて、常に見分けられる請求項１乃至請求項５のいずれか一項に記載のシステム。
【請求項７】
前記表示画面が前記ハンドヘルド制御装置に組み込まれている請求項６に記載のシステム。
【請求項８】
前記対応するフィールドが前記表示画面上でラインを形成し、前記フィールドはそれぞれ、前記表示画面の正面から見て該フィールドに対応するボタンと隣接し一直線に並ぶように前記ハンドヘルド制御装置上に設けられる請求項７に記載のシステム。
【請求項９】
請求項１乃至請求項８のいずれか一項に記載のシステムのためのハンドヘルド制御装置において、当該装置は、前記制御手段が前記選択された表示項目に依存する番号をダイアルするためのダイアルユニットに結合される電話送受信器であるハンドヘルド制御装置。
【請求項１０】
請求項１乃至請求項８のいずれか一項に記載のハンドヘルド制御装置において、当該装置は、前記制御手段が前記選択された表示項目に依存して、命令を前記システム内の他の機器へ伝送するための伝送ユニットに結合されるリモートコントロールユニットであるハンドヘルド制御装置。
【発明の詳細な説明】
技術分野
本発明は、第一及び第二手動制御部材と表示画面とを具備する制御手段を有するシステムに関し、当該制御手段は、既定のシリーズの表示項目を第一手動制御部材の動作に応じてスクロールし、スクロールステップに応じる毎に、該表示画面上の該シリーズから次の表示項目を視覚的に識別し、スクロールし、使用者による第二手動制御部材の動作に応じた既定の複数の異なるシリーズの表示項目から第一手動制御部材の動作に応じてスクロールされる該シリーズの表示項目を選択するように設けられている。例えば、この動作は第二手動制御部材への力の行使を含む。
技術背景
この様な種類のシステムは、米国特許公報第07/949283号（ヨーロッパ特許公報第535732号；PHN13.840）から知られている。このシステムは、情報が表示され得る多数のフィールドを伴う表示画面を有する。これらのフィールドの一つは、所与のどんな時でも動作する。各々のフィールドに対しては、シリーズの表示項目は、例えば、実行可能な異なるパラメータのセッティングのようなシンボルで定められている。
第一手動制御部材は、回転式ノブを有する。使用者が該ノブを回すとき、関連するフィールドに対して定義された様々な表示項目が、前記表示画面上の活性フィールドに連続的に表示される。前記回転式ノブが回されて所望の表示項目が該フィールド内に表示されるとき、使用者は、ロックボタンを押すことができる。これに応答して、該システムは、到達した表示項目に依存する動作を実行する。
第二手動制御部材は、カーソル制御ノブを有する。該ノブを押すことにより、異なるフィールドが択一的に活性化される。その結果、一つの回転式ノブが、他のフィールド毎に動作表示項目を再調整できる。最後に、使用者は前記ロックボタンを押す。
本発明は、例えば携帯電話又はリモートコントロールユニットのようなハンドヘルド制御装置内にこのようなユーザーのインターフェイスを収容することに関する。一般的に言うと、ハンドヘルド制御装置は、片手で保持して、使用者によって動作されるようにし、普通この重さ及び型式は、片手で確かに保持することができるほど（例えば、重さが１ｋｇ以下及び幅が１０ｃｍ以下）である。従って、使用者は、片手でハンドヘルド制御装置を保持し、もう一方の手でこれを操作することができる。動作後、前記ハンドヘルド制御装置は、再び置かれ、又は収容される。
ハンドヘルド制御装置の使用中では、意図しない制御動作の危険性が、EP535732で開示された取付け装置の場合よりも高い。特に、所望のセッティングに達した後、前記回転式ノブの意図しない回転が、例えば、前記装置が収容されるときに起こるかもしれない。これは、システムによる操作の意図しない実行を導き、前記ロックボタンのシステマティックな使用により防がれるべきである。しかしながら、これは、余分な制御動作及び余分なボタンを必要とする。
発明の開示
本発明の目的は、余分な動作、又は余分なボタンを必要とせず、意図しない制御動作の危険性が減少するハンドヘルド制御装置を有するシステムを供給することである。
この目的のために、本発明に従うシステムは、第一及び第二手動制御部材を具備するハンドヘルド制御装置を含み、制御手段が、前記第二手動制御部材の動作の適用及び中断に応答してそれぞれ、スクロール不可能モードからスクロール可能モードにスイッチしたり、戻ったりすることを特徴とする。該第二手動制御部材は、例えば、押ボタン又はタッチボタンを有する。前記ハンドヘルド制御装置を保持している手の指を使うことで、使用者は、押ボタンを押し前記制御手段によってスクロールされるべき前記シリーズを選択する。これは、該押ボタンが押されたままでいる限り続き、もう一方の手で前記第一手動制御を動作することによって実現される。更なるスクロールは、該押ボタン又はタッチキーを放すことによってはできない。
従って、スクロールは、前記第二手動制御部材の動作（例えば、力の印加）と第一手動制御部材の動作とを同時に必要とし、これらの操作は好ましくは異なる手で実行される。これは、ハンドヘルド制御装置を保持する手の指が力を働かせるようにハンドヘルド制御機器を構成するとき、特に扱いやすくなる。取付けられる（即ちハンドヘルドでない）機器においては扱いにくい。その上、片手で押して、もう一方の手でスクロールすることでの選択は、使用者には一つの動作として経験される。
本発明に従うシステムの実施例においては、第一手動制御部材は回転盤を有し、スクロールが該回転盤の回転に応じて起こる。回転式ノブは、使用者に所望の表示項目を素早く選択することをさせるが、意図しない制御も受けやすい。従って、特に回転式ノブを使用するとき、前記第一手動制御部材の動作を中断することにより制御を不活性にすることは有効である。回転式ノブの代わりに、押ボタン又はタッチボタンもまた第一手動制御部材に使用することができる。前記押ボタン又はタッチボタンを動作する毎に、前記制御手段は、一表示項目進む。このようなボタンは、回転式ノブよりも意図しない制御を受けにくい。しかしながら、所望の表示項目の選択には、より多くの時間を必要とする。
本発明のシステムの実施例においては、前記第二手動制御部材のそれぞれのボタンは、前記複数のシリーズからの各シリーズと関連し、このシリーズの表示項目は、当該シリーズに対応するボタンの動作に応答して選択される。このように、シリーズは、スクロールに対し素早く選択され得る。
本発明に従うシステムの実施例は、正確に４つのそれぞれのボタンを有する。従って、親指以外のハンドヘルド制御装置を保持する手の各々の指が、それぞれのボタンを制御することができる。
本発明に従うシステムの実施例においては、第二手動制御部材は、第一及び第二ボタンを有し、該第一ボタンの動作に応答して第一シリーズの表示項目が選択され、該第一シリーズの各表示項目はそれぞれ第二シリーズの表示項目に対応し、スクロールステップに応答して最後のものとして該シリーズと関連する表示項目を事前の視覚的な認識の後、各第二シリーズが、前記第二ボタンの動作に応答して選択される。このように、階層メニュー構造が得られる。第二シリーズは第一押ボタンを押すことにより選択され、スクロールすることで表示項目をフォローする。選択された第二シリーズ内でのスクロールは、前記第二押ボタンを押すことによって行われる。
本発明に従うシステムの実施例においては、表示画面上のそれぞれ対応するフィールドは複数のシリーズからの各シリーズと関連し、次の表示は、当該シリーズに対応するフィールド内で常に見分けられる。このように、各々のシリーズでの実際の表示項目は見分けられ、同時にスクロールされるべきシリーズが、関連する押ボタンで選択される。
前記表示画面は、前記ハンドヘルド制御装置から離れて、例えば、該ハンドヘルド制御装置によって遠隔制御されるテレビに収容され得る。このような場合においては、前記ハンドヘルド制御装置は、映像の表示を実施するための手段、例えば、指令を該テレビに伝送する送信機を有する。本発明のシステムの実施例においては、前記表示画面は、ハンドヘルド制御装置と結合される。このように、前記ハンドヘルド制御装置は、独立に使用できる。
本発明に従う実施例においては、対応するフィールドは互いに下方に設けられる表示画面上のラインを形成し、各々対応するボタンは、該表示画面の正面から見て関連するラインと隣接して一直線に並べるように、ハンドヘルド制御装置上に配される。このように、押ボタンとフィールドとの関係は、直接見ることができる。
本発明はまた、例えばテレビ、ビデオレコーダ又は対話式コンピュータのような家電機器のための例えば送受器及びリモートコントロール装置のような制御手段を内蔵するハンドヘルド制御装置にも関する。
本発明のこれら及びその他の特徴は、下記に説明する実施例を参照して明白であり、説明されるであろう。
【図面の簡単な説明】
本図面において、第１図は、本発明に従うハンドヘルド制御装置の実施例の正面図であり、第２図は、本発明に従うシステムの実施例のブロックダイアグラムを示し、第３図は、該システムの実施例の制御を描いたフローチャートを示し、第４図、第５図、及び第６図は、表示画面の異なる内容を示す。
発明を実施するための最良の形態
第１図は、本発明に従うハンドヘルド制御装置１０の実施例の正面図である。前記ハンドヘルド装置は表示画面１２を有する。例として、前記表示画面１２は、４ラインのシンボルを有する。各ラインに隣接して、それぞれの押ボタン１４ａ−ｄが設けられている。前記ハンドヘルド装置はまた、回転式ノブ１６及び多数の機能キー１８ａ−ｃ（例として３つ）をも有する。
使用中では、使用者はハンドヘルド制御装置１０を例えば左手で保持し、例えばキー１８ａにより動作する。この時、機器のセッティングは表示画面１２のライン上に表示される。もし、使用者が所与のライン上に表示されるセッティングを変更したいならば、当該使用者は、当該ラインに隣接して設けられた押ボタン１４ａ−ｄを押すことによってこのラインを選択する。例として、第１図においては、第二ボタン１４ｂが押されていることを示す。押ボタン１４ａ−ｄの代わりとして、タッチ感応ボタンは使用できる。
使用者が回転式ノブ１６を回すとき、既に決められているシリーズから多数のシンボルが、選択されたライン上（本例においては第二ライン）に順に連続的に現れる。このように使用者は、前記回転式ノブで選択されるラインの内容を変更できる。使用者は、所望のシンボルが見つかるまで回転式ノブ１６を回す。使用者は次に、押されている押ボタン１４ｂを放す。この瞬間から、押ボタン１４ａ−ｄの一つが押されるまで、回転式ノブ１６を回転することは、表示画面１２上のどんなラインの内容にももはや影響しない。
概念的に言うと、使用者は、コヒーレントな制御として押ボタン１４ａ−ｄ及び回転式ノブ１６による制御を経験する。両方の制御をうまく分けることはできないのでもう一方の手で回転させている間前記ボタンを押し続けるからである。
従って、使用者が所望の表示項目を視覚的に識別した後、当該項目の選択が、例えば機能キー１８ａ−ｃの一つを押すことで確定される。これに応答して、前記システムは、選択された表示項目に依存する機能を実行する。前記ハンドヘルド装置が電話であるならば、例えば調節された番号がダイヤルされたり、又は前記ハンドヘルド機器がリモートコントロールユニットであるならば、セッティング、例えばテレビが選局する局が変化する。
回転式ノブ１６の代わりに、一対の他の押ボタン（図示せず）が利用でき、一つの押ボタンを押すことは回転式ノブ１６の時計回りと同じ効果を有し、もう一つの押ボタンを押すことは反時計回りと同じ効果を有する。しかしながら、回転式ノブの制御の方が早い。また、表示画面１２はまた、それ自体既知であるリモートコントロールプロトコルを介して前記ハンドヘルド制御装置で遠隔制御されるシステム内の他の機器にも具備できる。しかしながら、前記ボタンと前記表示画面上のラインとの間の関係が、使用者にはあまりはっきりしなくなるので、前記ハンドヘルド制御装置を制御することが難しい。
押ボタン１４ａ−ｄの代わりに、触ることで反応する既知のボタン又は表示画面１２上に設けられたタッチキーを利用することもまた可能である。その上、回転式ノブ１６の機能もまた、前記表示画面上に設けられた一組のタッチキーで実行できる。しかしながら、この場合には、連続的に押し続けることを要求する代わりに、ラインを選択させるのに十分に短い時間のタッチが魅力的である。さもなければ、たくさんの指で、前記表示画面を同時にタッチし続けなければならない。
第２図は、本発明に従うシステムの実施例のブロックダイアグラムを示す。前記システムは、制御手段２０及び機能部分２２を有する。制御手段２０は、多数のライン選択スイッチ２４ａ−ｃ及び回転式スイッチ２６を有し、これら全ての素子は受信ユニット２１と結合される。受信ユニット２１はまた、表示画面１２及び機能部分２２とも結合される。制御手段２０はまた、受信部分２１を介して機能部分２２と結合される実行スイッチ２８をも有する。
第３図は、第２図に示される前記システムの制御を描いたフローチャートを示す。該フローチャートは、４つのシリーズの表示項目を有し、制御手段２０がこれらシリーズ各々に対し、それぞれのポインタを有するという仮定を基にしている。このポインタは、どの表示項目が当該シリーズで動作しているかを示す。制御手段２０は、回転式スイッチ２６からの回転式ノブ１６が回されたことを示す信号に応答して、フローチャートに従うプログラムを実行する。
各々のスイッチ２４ａ−ｄに対し、前記フローチャートは、試験ステップ３４ａ−ｄ及び制御ステップ３５ａ−ｄを有する。該フローチャートはまた、表示ステップ３８をも有する。試験ステップ３４ａ−ｄは、関連するスイッチが押されたかどうかを試験する。押されていた場合、関連する制御ステップ３５ａ−ｄが実行され、次に表示ステップ３８が実行される。制御ステップの間、当該スイッチ２４ａ−ｄと関連するシリーズのポインタが、方向と回転式スイッチ２６の可能な回転量とに従って変化する。例えば、回転式ノブ１６が時計方向に回転するときは、選択的な表示項目のシリーズの前方スクロールを起こし、反時計方向に回転するときは、後方スクロールを起こす。例えば、１ステップが時間単位についてとられ、多数のステップは前記回転式ノブの測定回転速度に比例する。他には、前記ポインタが該回転式ノブの位置と結合される。
試験ステップ３４ａ−ｄで、該スイッチ２４ａ−ｄが押されていないことがわかったならば、次の試験ステップが実行され、全ての試験ステップが実行されたとき、表示ステップ３８が実行される。
表示ステップ３８の間、表示画面１２の内容は更新される。スイッチ２４ａ−ｄと関連する全シリーズの関連するシリーズにおけるポインタで指摘された表示項目が、確認される。
使用者が所望する表示項目が表示画面で確認されるとき、使用者は、例えば機能キー１８ｃを押すことによって、当該項目の選択を確認することができ、従って実行スイッチ２８を閉じる。これに応答して、選択された前記表示項目に従う前記機器の機能を次に行う機能ユニット２２に信号が印加される。機能部分２２は、例えば電話のダイヤルユニットであり、この場合機能ユニット２２は表示画面上で確認された、例えば選択された電話番号を交換（図示せず）に送る。機能部分２２がテレビである場合、例えば局の選択のようなパラメタが置き換えられる。機能部分２２は、選択された表示項目に依存する命令を送るリモートコントロール装置の送信器でもよい。
第３図のフローチャートは、明らかに単に例として与えられ、そして例えばハンドヘルド制御装置内の一般的なプロセッサ内で実施され得る。本発明の色々なその他の型式、キー又は特殊な目的の回路の動作の信号を送るために例えば割り込みの使用もまた可能である。
もし希望するなら、本システムの全ての本質的な部分は、前記ハンドヘルド制御装置内に収容できる。しかしながら、異なるやり方で本システム内に部分を設けることも択一的に可能である。例えば、前記表示画面が（例えば取付けられた）他の機器内に収容できる。制御手段の一部様々なシリーズの表示項目を定義している情報もまた、前記取付けられた機器に収容できる。
本発明に従うシステムは、階層メニュー構造を制御するために使用される。これは、ハンドヘルド電話機器を基本として説明されるだろう。例えば、前記メニュー構造の上層は、“オン（ｏｎ）”、“電話リスト（ｔｅｌｅｐｈｏｎｅ  ｌｉｓｔ）”、“機器応答（ａｎｓｗｅｒｉｎｇ  ａｐｐａｒａｔｕｓ）”及び“テキストメッセージ（ｔｅｘｔ  ｍｅｓｓａｇｅ）”の４つの選択肢を有する。
“ｏｎ”が選択されたとき、“ダイアル（ｄｉａｌ）”及び“リダイアル（ｒｅｄｉａｌ）”の選択肢を持つサブメニューが使えるようになる。“ｄｉａｌ”が選択されたとき、更なるサブメニューは、数字の選択のために使えるようになる。
“ｔｅｌｅｐｈｏｎｅ  ｌｉｓｔ”が選択されたとき、“拾い読み（ｂｒｏｗｓｅ）”及び“編集（ｅｄｉｔ）”の選択肢を持つサブメニューが使えるようになる（蓄積された番号一覧に目を通すために及びこの一覧を更新するために）。“ｂｒｏｗｓｅ”が選択されたとき、更なるサブメニューは、蓄積された番号に目を通すために使えるようになる。
“ａｎｓｗｅｒｉｎｇ  ａｐｐａｒａｔｕｓ”が選択されたとき、“聞くこと（ｌｉｓｔｅｎｉｎｇ）”、“応答（ａｎｓｗｅｒｉｎｇ）”及び“メッセージを応答（ａｎｓｗｅｒｉｎｇ  ｍｅｓｓａｇｅ）”の選択肢を持つサブメニューが使えるようになる。“ｌｉｓｔｅｎｉｎｇ”に対しては、更なるサブメニューは、受信した様々なメッセージの選択のために使うことができるようになる。
第４図、第５図及び第６図は、この様な階層メニュー構造が使用されるとき発生する表示画面１２の異なる内容を示す。各々の表示画面は、４０、４１、４２、４３と５０、５１、５２、５３と６０、６１、６２、６３という各々４つの領域で成る。
第４図は、上の押ボタン１４ａが押されたときの表示画面の内容を示す。上のライン４０は、（メインメニューの４つの前記選択肢“ｏｎ”、“ｔｅｌｅｐｈｏｎｅ  ｌｉｓｔ”、“ａｎｓｗｅｒｉｎｇ  ａｐｐａｒａｔｕｓ”及び“ｔｅｘｔ  ｍｅｓｓａｇｅ”それぞれに対応する）４つのシンボルを示す。上の押ボタン１４ａが押されている場合、使用者は回転式ノブ１６を回すことによってこれらのシンボルをスクロールできる。回転中、毎時一つのシンボルが、この強度パターンの反転によって視覚的に見分けられる。従って、第５図では第二のシンボルが視覚的に見分けられる。
回転式ノブ１６を更に回すとき、前記第二シンボルの強度パターンが再び反転し、次のシンボルの強度パターンが反転する。その上、更なる回転の間、これらラインの一つに隣接する押ボタン１４ａ−ｄを使用者が押したならば使用者がスクロールできるシリーズの表示項目が変化することを示しながら、下のラインの内容が置き換えられる。第４図は、使用者が上のライン５０上に第二のシンボルまでスクロールする場合の表示画面１２の内容を示し、第６図は、使用者が、押された状態で、上の押ボタン１４ａにより、上のライン６０上の第三のシンボルまでさらにスクロールした後の表示画面の内容を示す。同時に、第二、第三及び第四ライン６１、６２及び６３もまた変化する。
例えば、前記使用者が、第二のシンボルを識別して上の押ボタン１４ａを放し、次に第二押ボタン１４ｂを押すとき、使用者は、回転式ノブ１６を回すことによって“ｂｒｏｗｓｅ”を“ｅｄｉｔ”に置き換える。択一的に使用者が第二押ボタン１４ｂの代わりに第三押ボタン１４ｃを押す場合、当該使用者は、電話番号（例えば、Ｓ．Ｋ．Ｐｅｒｓｏｎ−１２３、Ｉ．Ｎ．Ｖｅｎｔｏｒ−４５６、等）と関連する名前のリストを含むシリーズをスクロールできる。所望する名前に達したとき、例えば、機能キー１８ａ−ｃの一つを押して、使用者は当該電話番号をダイアルできる。このように、最初に中間レベルを選択する必要なく、使用者はメニューのどんなレベル（ライン）でも直接スクロールすることができる。
スクロール中、使用者により達した表示項目（“ｂｒｏｗｓｅ”又は“ｅｄｉｔ”若しくは与えられた名前）は、当該シリーズ内での他の表示項目を除外してこの項目を表示することによって視覚的に見分けられる。
第５図は、使用者がボタン１４ａを放した後、回転中に達したシンボルのみが上のライン５０上に視覚的に残ることを示す。上のボタン１４ａが放されたとき、回転式ノブ１６は、前記表示画面の明瞭度を改善するために、もはや前記上のラインのシンボルをスクロールできない。従って、放された後に他のシンボルはもはや表示されない。
【図１】
0004070807.tif 000002
【図２】
0004070807.tif 000003
【図３】
0004070807.tif 000004
【図４】
0004070807.tif 000005
【図５】
0004070807.tif 000006
【図６】
0004070807.tif 000007